(57)【要約】本発明は、多様な方式の互いに異なる通信網におけるユーザ移動通信端末に円滑なハンドオフを提供できる、マルチアクセス通信網におけるマルチモード−マルチバンド移動通信端末のモード切り替え方法に関し、互いに異なるカバレッジを有する複数の通信網で前記各通信網との通信のためのモデムを含むマルチバンド−マルチモード移動通信端末のモード切り替え方法であって、現在位置している通信網より狭いカバレッジを有する通信網信号を検出する第１ステップ、前記第１ステップで検出された信号のリンク品質を算出する第２ステップ、前記第２ステップで算出されたリンク品質を該当通信網に対して予め設定された基準値と比較する第３ステップ、前記第３ステップの比較結果、リンク品質が基準値以上であると判断されれば、現在通信網から前記第１ステップで信号を検出した通信網にハンドオフするために移動通信端末のモードを切り替える第４ステップを行うことによって、多様な方式の移動通信網だけでなく、無線ランおよび携帯インターネットを含む互いに異なる通信網におけるユーザ移動通信端末に効果的かつ円滑なハンドオフを提供できる効果がある。
2007519362.tif 000002
【特許請求の範囲】
【請求項１】
互いに異なるカバレッジを有する複数の通信網において前記各通信網との通信のためのモデムを含むマルチバンド−マルチモード移動通信端末のモード切り替え方法であって、
現在位置している無線ラン網のリンク品質を算出する第１ステップと、
前記第１ステップで算出されるリンク品質を前記無線ラン網に対して予め設定された第１基準値と比較する第２ステップと、
前記第２ステップの比較結果、前記無線ラン網のリンク品質が第１基準値以下と判断される場合、現在通信網より広いカバレッジを有する携帯インターネット網の信号を測定する第３ステップと、
前記携帯インターネット網のリンク品質を算出する第４ステップと、
前記第４ステップで算出される携帯インターネット網のリンク品質が第２基準値以上であると判断される場合、携帯インターネット網にハンドオフを行うために移動通信端末のモードを切り替える第５ステップとを含むことを特徴とするマルチアクセス通信網におけるマルチモード−マルチバンド移動通信端末のモード切り替え方法。
【請求項２】
前記第３ステップで携帯インターネット網の信号が測定されない場合、無線ラン網のリンク品質が第２基準値以上であるか否かを確認するステップと、
前記確認結果、前記無線ラン網のリンク品質が第２基準値以上である場合、前記無線ラン網との通信状態を保持するステップとをさらに含むことを特徴とする請求項１に記載のマルチアクセス通信網におけるマルチモード−マルチバンド移動通信端末のモード切り替え方法。
【請求項３】
前記無線ラン網のリンク品質が第２基準値以上でない場合、移動通信網にハンドオフするために移動通信端末のモードを切り替えるステップをさらに含むことを特徴とする請求項２に記載のマルチアクセス通信網におけるマルチモード−マルチバンド移動通信端末のモード切り替え方法。
【請求項４】
前記第４ステップで算出される携帯インターネット網のリンク品質が第２基準値以上でない場合、無線ラン網のリンク品質が第２基準値以上であるか否かを確認するステップと、
前記確認結果、前記無線ラン網のリンク品質が第２基準値以上である場合、前記無線ラン網との通信状態を保持するステップと、
前記無線ラン網のリンク品質が第２基準値以上でない場合、移動通信網にハンドオフするために移動通信端末のモードを切り替えるステップとを含むことを特徴とする請求項１に記載のマルチアクセス通信網におけるマルチモード−マルチバンド移動通信端末のモード切り替え方法。
【請求項５】
前記リンク品質は、パケットエラー比率による該当通信網のデータ伝送速度であることを特徴とする請求項１に記載のマルチアクセス通信網におけるマルチモード−マルチバンド移動通信端末のモード切り替え方法。
【請求項６】
前記基準値は、現在通信網の最小有効伝送速度であることを特徴とする請求項１に記載のマルチアクセス通信網におけるマルチモード−マルチバンド移動通信端末のモード切り替え方法。
【請求項７】
互いに異なるカバレッジを有する複数の通信網で前記各通信網との通信のためのモデムを含むマルチバンド−マルチモード移動通信端末のモード切り替え方法であって、
現在位置している携帯インターネット網より狭いカバレッジを有する無線ラン網の信号を検出する第１ステップと、
前記第１ステップで検出される無線ラン網信号のリンク品質を算出する第２ステップと、
前記第２ステップで算出される無線ラン網信号のリンク品質に対して予め設定された第１基準値と比較する第３ステップと、
前記第３ステップの比較結果、前記無線ラン網のリンク品質が第１基準値以上であると判断されれば無線ラン網にハンドオフするために移動通信端末のモードを切り替える第４ステップとを含むことを特徴とするマルチアクセス通信網におけるマルチモード−マルチバンド移動通信端末のモード切り替え方法。
【請求項８】
前記第１ステップで無線ラン網の信号が検出されない場合、携帯インターネット網の信号を検出するステップと、
前記検出された信号のリンク品質を算出するステップと、
前記信号のリンク品質が該当通信網に対して予め設定された第２基準値以上第１基準値以下でない場合、前記無線ラン網のリンク品質が第２基準値以上であるか否かを確認するステップと、
前記無線ラン網のリンク品質が第２基準値以上でない場合、移動通信網にハンドオフするために移動通信端末のモードを切り替えるステップとを含むことを特徴とする請求項７に記載のマルチアクセス通信網におけるマルチモード−マルチバンド移動通信端末のモード切り替え方法。
【請求項９】
前記無線ラン網のリンク品質が第２基準値以上である場合、無線ラン網にハンドオフするために移動通信端末のモードを切り替えるステップを含むことを特徴とする請求項８に記載のマルチアクセス通信網におけるマルチモード−マルチバンド移動通信端末のモード切り替え方法。
【請求項１０】
前記第３ステップの比較結果、無線ラン網のリンク品質が第１基準値以上でない場合、携帯インターネット網の信号を検出するステップと、
前記検出された信号のリンク品質を算出するステップと、
前記信号のリンク品質が該当通信網に対して予め設定された第２基準値以上かつ第１基準値以下でない場合、前記無線ラン網のリンク品質が第２基準値以上であるか否かを確認するステップと、
前記無線ラン網のリンク品質が第２基準値以下の場合、移動通信網にハンドオフするために移動通信端末のモードを切り替えるステップとを含むことを特徴とする請求項７に記載のマルチアクセス通信網におけるマルチモード−マルチバンド移動通信端末のモード切り替え方法。
【請求項１１】
前記無線ラン網のリンク品質が第２基準値以上である場合、無線ラン網にハンドオフするために移動通信端末のモードを切り替えるステップを含むことを特徴とする請求項１０に記載のマルチアクセス通信網におけるマルチモード−マルチバンド移動通信端末のモード切り替え方法。
【請求項１２】
前記リンク品質は、パケットエラー比率による該当通信網のデータ伝送速度であることを特徴とする請求項７に記載のマルチアクセス通信網におけるマルチモード−マルチバンド移動通信端末のモード切り替え方法。
【請求項１３】
前記基準値は、該当通信網の最小有効伝送速度であることを特徴とする請求項７に記載のマルチアクセス通信網におけるマルチモード−マルチバンド移動通信端末のモード切り替え方法。
【請求項１４】
互いに異なるカバレッジを有する複数の通信網で前記各通信網との通信のためのモデムを含むマルチバンド−マルチモード移動通信端末のモード切り替え方法であって、
現在位置している移動通信網より狭いカバレッジを有する無線ラン網の信号を検出する第１ステップと、
前記第１ステップで検出された無線ラン網信号のリンク品質を算出する第２ステップと、
前記第２ステップで算出された無線ラン網信号のリンク品質に対して予め設定された第１基準値と比較する第３ステップと、
前記第３ステップの比較結果、前記無線ラン網のリンク品質が第１基準値以上でない場合、携帯インターネット網の信号を検出する第４ステップと、
前記第４ステップで検出された携帯インターネット網信号のリンク品質を算出する第５ステップと、
前記第５ステップで算出する携帯インターネット網のリンク品質が第２基準値以上である場合、携帯インターネット網にハンドオフするために移動通信端末のモードを切り替える第６ステップとを含むことを特徴とするマルチアクセス通信網におけるマルチモード−マルチバンド移動通信端末のモード切り替え方法。
【請求項１５】
前記第３ステップの比較結果、無線ラン網のリンク品質が第１基準値以上である場合、無線ラン網にハンドオフするために移動通信端末のモードを切り替えるステップを含むことを特徴とする請求項１４に記載のマルチアクセス通信網におけるマルチモード−マルチバンド移動通信端末のモード切り替え方法。
【請求項１６】
前記第４ステップで携帯インターネット網の信号が検出されない場合、無線ラン網のリンク品質が第２基準値以上であるか否かを確認するステップと、
前記リンク品質が第２基準値以上である場合、無線ラン網にハンドオフするために移動通信端末のモードを切り替えるステップと、
前記リンク品質が第２基準値以上でない場合、移動通信網との通信状態を保持するステップとを含むことを特徴とする請求項１４に記載のマルチアクセス通信網におけるマルチモード−マルチバンド移動通信端末のモード切り替え方法。
【請求項１７】
前記第５ステップで算出する携帯インターネット網のリンク品質が第２基準値以上でない場合、無線ラン網のリンク品質が第２基準値以上であるか否かを確認するステップと、
前記リンク品質が第２基準値以上である場合、無線ラン網にハンドオフするために移動通信端末のモードを切り替えるステップと、
前記リンク品質が第２基準値以上でない場合、移動通信網との通信状態を保持するステップとを含むことを特徴とする請求項１４に記載のマルチアクセス通信網におけるマルチモード−マルチバンド移動通信端末のモード切り替え方法。
【請求項１８】
前記リンク品質は、パケットエラー比率による該当通信網のデータ伝送速度であることを特徴とする請求項１４に記載のマルチアクセス通信網におけるマルチモード−マルチバンド移動通信端末のモード切り替え方法。
【請求項１９】
前記基準値は、該当通信網の最小有効伝送速度であることを特徴とする請求項１４に記載のマルチアクセス通信網におけるマルチモード−マルチバンド移動通信端末のモード切り替え方法。
【発明の詳細な説明】
【技術分野】
【０００１】
本発明は、移動通信網を含む互いに異なる複数の通信網で円滑なハンドオフを提供できるマルチアクセス通信網におけるマルチモード−マルチバンド移動通信端末のモード切り替え方法に関する。
【背景技術】
【０００２】
移動通信サービスは、１９８０年代後半からサービスが開始されたアナログセルラー方式のＡＭＰＳ（Ａｄｖａｎｃｅｄ．Ｍｏｂｉｌｅ．Ｐｈｏｎｅ  Ｓｅｒｖｉｃｅ）にて提供される低品質の音声通話中心の第１世代移動通信サービスから始まり、持続的に発展している。第２世代移動通信サービスでは、デジタルセルラー方式のＧＳＭ（Ｇｌｏｂａｌ  Ｓｙｓｔｅｍ．ｆｏｒ  Ｍｏｂｉｌｅ）、ＣＤＭＡ（Ｃｏｄｅ  Ｄｉｖｉｓｉｏｎ．Ｍｕｌｔｉｐｌｅ．Ａｃｃｅｓｓ）、ＴＤＭＡ（Ｔｉｍｅ  Ｄｉｖｉｓｉｏｎ．Ｍｕｌｔｉｐｌｅ．Ａｃｃｅｓｓ）等にて提供される向上した音声通話および低速（１４．４Ｋｂｐｓ）データサービスが可能であった。また、第２．５世代移動通信サービスでは、ＧＨｚ対の周波数確保と共に全世界的に使用が可能なＰＣＳ（Ｐｅｒｓｏｎａｌ  Ｃｏｍｍｕｎｉｃａｔｉｏｎ  Ｓｅｒｖｉｃｅ）が開発され、向上した音声通話および低速（１４４Ｋｂｐｓ）ながらもデータサービスも可能になった。
【０００３】
第２．５世代までの移動通信サービスのための移動通信網には、ユーザ端末機、基地局伝送機、基地局制御機、移動交換局、ホーム位置レジスタ（ＨＬＲ：Ｈｏｍｅ．Ｌｏｃａｔｉｏｎ．Ｒｅｇｉｓｔｅｒ）、訪問者位置レジスタ（ＶＬＲ：Ｖｉｓｉｔｏｒ  Ｌｏｃａｔｉｏｎ．Ｒｅｇｉｓｔｅｒ）等の各種通信装備が設置されている。
【０００４】
第３世代移動通信サービスは、３ＧＰＰ（Ｇｅｎｅｒａｔｉｏｎ．Ｐａｒｔｎｅｒｓｈｉｐ  Ｐｒｏｊｅｃｔ）が主軸となって提案した非同期方式のＷＣＤＭＡシステムと、３ＧＰＰ２が主軸となって提案した同期方式のＣＤＭＡ−２０００システムとに分類して提供されている。特に、ＷＣＤＭＡシステムは、ＩＭＴ−２０００にて勧告する無線プロトコルとして全世界的に多くの通信サービス事業者がサービスの提供を行ったりサービスの提供を準備している。
【０００５】
また、移動通信技術の発展により前記移動通信サービス以外にもホットスポット（Ｈｏｔ  ｓｐｏｔ）と呼ばれる高速の公衆用無線ラン（ＷＬＡＮ）と携帯インターネットシステムが開発されており、それによりユーザ端末もまた機能が多様化されている。
【０００６】
これによって、前記システム間のハンドオフが重要な問題として台頭しており、それに伴う解決方案が要求されている。
【発明の開示】
【０００７】
前記のような問題点を解決するために、本発明は多様な方式の移動通信網だけでなく、無線ランおよび携帯インターネットを含む互いに異なる通信網におけるユーザ移動通信端末に円滑なハンドオフを提供できるマルチアクセス通信網におけるマルチモード−マルチバンド移動通信端末のモード切り替え方法を提供することにその目的がある。
【発明を実施するための最良の形態】
【０００８】
上記のような目的を達成するための本発明は、互いに異なるカバレッジを有する複数の通信網における前記各通信網との通信のためのモデムを含むマルチバンド−マルチモード移動通信端末のモード切り替え方法であって、
現在位置している無線ラン網のリンク品質を算出する第１ステップと、前記第１ステップで算出されるリンク品質を前記無線ラン網に対して予め設定された第１基準値と比較する第２ステップと、前記第２ステップの比較結果、前記無線ラン網のリンク品質が第１基準値以下と判断される場合、現在通信網より広いカバレッジを有する携帯インターネット網の信号を測定する第３ステップと、前記携帯インターネット網のリンク品質を算出する第４ステップと、前記第４ステップで算出される携帯インターネット網のリンク品質が第２基準値以上であると判断される場合、携帯インターネット網にハンドオフを行うために移動通信端末のモードを切り替える第５ステップとを含む。
【０００９】
さらに本発明は、互いに異なるカバレッジを有する複数の通信網において前記各通信網との通信のためのモデムを含むマルチバンド−マルチモード移動通信端末のモード切り替え方法であって、
現在位置している携帯インターネット網より狭いカバレッジを有する無線ラン網の信号を検出する第１ステップと、前記第１ステップで検出される無線ラン網信号のリンク品質を算出する第２ステップと、前記第２ステップで算出される無線ラン網信号のリンク品質に対して予め設定された第１基準値と比較する第３ステップと、前記第３ステップの比較結果、前記無線ラン網のリンク品質が第１基準値以上であると判断されれば無線ラン網にハンドオフするために移動通信端末のモードを切り替える第４ステップとを含む。
【００１０】
また、本発明は互いに異なるカバレッジを有する複数の通信網において前記各通信網との通信のためのモデムを含むマルチバンド−マルチモード移動通信端末のモード切り替え方法であって、
現在位置している移動通信網より狭いカバレッジを有する無線ラン網の信号を検出する第１ステップと、前記第１ステップで検出された無線ラン網信号のリンク品質を算出する第２ステップと、前記第２ステップで算出された無線ラン網信号のリンク品質に対して予め設定された第１基準値と比較する第３ステップと、前記第３ステップの比較結果、前記無線ラン網のリンク品質が第１基準値以上でない場合、携帯インターネット網の信号を検出する第４ステップと、前記第４ステップで検出された携帯インターネット網信号のリンク品質を算出する第５ステップと、前記第５ステップで算出する携帯インターネット網のリンク品質が第２基準値以上である場合、携帯インターネット網にハンドオフするために移動通信端末のモードを切り替える第６ステップとを含む。
【００１１】
以下、添付する図面を参照しながら本発明についてより詳しく説明する。
図１は、本発明に係る多重アクセス通信網の領域例を説明するための説明図であり、図１を参照して本発明に係る方法が適用される多重アクセスが可能な通信網の構造を詳しく見れば次の通りである。
【００１２】
本実施例に係わる多重アクセス通信網は、便宜上、第１無線網（移動通信網）、第２無線網（携帯インターネット）、および、第３無線網（公衆無線網の無線ラン（ＷＬＡＮ））に分けることができる。
【００１３】
前記第１ないし第３無線網は、各々互いに異なるデータ伝送速度を有するが、通常第１無線網の移動通信網は約１００Ｋｂｐｓ、第２無線網の携帯インターネットは約３００Ｋｂｐｓ、第３無線網の無線ランは約５００Ｋｂｐｓの有効伝送速度を有する。すなわち、伝送速度の順序は、無線ラン＞携帯インターネット＞移動通信網の順に区分することができる。
【００１４】
これによって、最も速いデータ伝送速度を有する無線ランは、ホットスポット（Ｈｏｔ  ｓｐｏｔ）と呼ばれる地域に区分され、通信使容量が多い地域に集中的に配置されており、通常最も狭いカバレッジを有する。
【００１５】
前記第１ないし第３無線網は、通常移動通信網（Ａ）＞携帯インターネット（Ｂ）＞無線ラン（Ｃ）の順にカバレッジを有する。この時、移動通信網は、別途表示しないが、同期移動通信網のＣＤＭＡ２０００網と非同期移動通信網のＷＣＤＭＡ網とを含み、同期移動通信網および非同期移動通信網間のハンドオフは、単純信号の強さを利用する通常の方法によるか、以下にて説明する本発明に係る方法によることができる。
【００１６】
前記多重アクセス通信網において移動通信端末は、無線ランの領域に位置する場合、携帯インターネットの領域に位置する場合および移動通信網の領域に位置する場合に各々互いにハンドオフを行うことができるが、次のような場合に分けることができる。
【００１７】
１−１）無線ラン−＞無線ラン
１−２）無線ラン−＞携帯インターネット
１−３）無線ラン−＞移動通信網
２−１）携帯インターネット−＞無線ラン
２−２）携帯インターネット−＞携帯インターネット
２−３）携帯インターネット−＞移動通信網
３−１）移動通信網−＞無線ラン
３−２）移動通信網−＞携帯インターネット
３−３）移動通信網−＞移動通信網
前記各場合において、移動通信端末が所定の通信網の領域に位置する時、本発明の基準によれば現在位置する通信網と隣接する通信網のリンク品質を比較して、さらに優れたリンク品質を有する通信網（伝送速度の速い通信網）にハンドオフを行う。
【００１８】
そして、現在通信網よりさらに優れたリンク品質を有する通信網が存在しない場合には現在通信網リンク品質にともなう伝送速度が予め設定された基準値以下になれば上位通信網、すなわち現在通信網より広いカバレッジを有する通信網にハンドオフを行う。
【００１９】
しかし、現在位置する通信網のリンク品質にともなう伝送速度が所定の基準値以下の場合でも隣接する通信網から受信される信号に応じて、測定された有効伝送速度以上であれば現在の通信状態を保持する。
【００２０】
例えば、移動通信端末が伝送速度５００Ｋｂｐｓの無線ランの領域に位置して、現在無線ランのリンク品質にともなう伝送速度が予め設定された基準値（例えば３００Ｋｂｐｓ）以下の２００Ｋｂｐｓである場合、隣接する無線網が携帯インターネットであり、そのリンク品質が約３００Ｋｂｐｓである場合には移動通信端末は無線ランの領域から携帯インターネット領域にハンドオフを行う。
【００２１】
しかし、現在無線ランのリンク品質にともなう伝送速度が予め設定された基準値（例えば３００Ｋｂｐｓ）以下の２００Ｋｂｐｓである時、隣接する無線網が移動通信網の場合、移動通信網のリンク品質が約１００Ｋｂｐｓであるため移動通信端末は現在の無線ラン通信を維持するものである。
【００２２】
前記方法によって移動通信端末のハンドオフを制御するために各通信網のリンク品質を測定し、リンク品質にともなうデータの伝送可能速度を判断し、これを予め設定された基準値と比較してハンドオフを行うようになる。
【００２３】
この時、基準値は効率的なハンドオフのために各々の場合により互いに異なるように設定される。本実施例では通信網信号のリンク品質を判断するためのパラメータとしてパケットエラー比率（ＰＥＲ、Ｐａｃｋｅｔ  Ｅｒｒｏｒ  Ｒａｔｅ）を用いて有効伝送速度を算出する。
【００２４】
図２は、本発明に係るマルチバンド−マルチモード移動通信端末の構成を説明するためのブロック図である。
図２に示す本発明に係る移動通信端末は、前述した第１ないし第３通信網をすべて接続できるマルチバンド−マルチモード移動通信端末である。
【００２５】
本発明に係る移動通信端末１００のプラットホームは、移動通信網と通信を行うための移動通信網モデム１１０および移動通信網制御のための移動通信網モジュール１４０と、携帯インターネットと通信を行うための携帯インターネットモデム１２１および携帯インターネット制御のための携帯インターネットモジュール１２２と、公衆無線網の無線ランと通信を行うための無線ランモデム１３１および無線ラン制御のための無線ランモジュール１３２を含む。
【００２６】
また、本発明に係る移動通信端末１００は、全体動作および通信網ハンドオフなどの接続制御を行うメインプロセッサ１５０と、運営体制モジュール１７０とを含む。前記メインプロセッサ１５０は運営体制モジュール１７０と接続されて動作するが、前記運営体制モジュール１７０は移動通信端末の運営体制として、例えばＲＥＸ（Ｒｅａｌ  Ｔｉｍｅ．Ｅｘｅｃｕｔｉｏｎ）、ＰＳＯＳ（Ｐｉｏｎｅｅｒ．ＳｅｒｖｅｒＯＳ）等の運営体制となることができる。
【００２７】
また、移動通信端末１００のプラットホームのメインプロセッサ１５０にはドライバーモジュール１６１と、データ保存のためのメモリ１６２と、周辺装置の接続のためのＩ／Ｏ装置１６３および音声のためのコーデック１６４とが接続される。
【００２８】
前記Ｉ／Ｏ装置１６３はユーザからキー命令を入力されるためのキー入力部（図示せず）と、サウンド出力部（図示せず）、および、表示部（図示せず）等の周辺装置が接続されるが、前記キー入力部はユーザからのキー入力を受け取って前記メインプロセッサ１５０に伝送し、サウンド出力部はメインプロセッサ１５０の制御にしたがって端末のスピーカを介してサウンドを出力し、表示部は端末の作動情報を含むすべての視覚的表示を行う。
【００２９】
また、本発明に係る移動通信端末１００のプラットホームには、移動性を含む制御機能を有する制御モジュール１８０と、アプリケーション実行のためのアプリケーションモジュール１９０と、ユーザインタフェースモジュール２００とを含む。
【００３０】
前記制御モジュール１８０は、モバイルＩＰ等を通した移動性管理のための移動性管理モジュール１８１と、呼接続およびセッションを管理するためのセッション制御モジュール１８２およびシステムリソースを管理するためのリソース制御モジュール１８３を含む。
【００３１】
前記移動通信網モジュール１４０、携帯インターネットモジュール１２２および無線ランモジュール１３２は、各々該当モデムを介して該当通信網の信号を検出し、通信網信号のリンク品質を判断するためのパラメータでパケットエラー比率（ＰＥＲ、Ｐａｃｋｅｔ  Ｅｒｒｏｒ  Ｒａｔｅ）を用いて有効伝送速度を算出し、メインプロセッサ１５０に伝送する。
【００３２】
これによって、メインプロセッサ１５０は、前記移動通信網モジュール１４０、携帯インターネットモジュール１２２および無線ランモジュール１３２から転送されるデータを受信して前述した方法によってハンドオフの可否を判断し、予め設定された条件満足時に該当モジュールおよびモデムを介してハンドオフ条件が満足する通信網にハンドオフを行うようになる。
【００３３】
このためにメインプロセッサ１５０は、前述した各場合において移動通信端末１００が所定の通信網の領域に位置する時、本発明の基準によれば現在位置する通信網と隣接する通信網とのリンク品質を比較し、さらに優れたリンク品質を有する通信網（伝送速度の速い通信網）にハンドオフを行う。
【００３４】
そして、現在通信網よりさらに優れたリンク品質を有する通信網が存在しない場合には現在通信網リンク品質にともなう伝送速度が予め設定された基準値以下になれば上位通信網、すなわち現在通信網より広いカバレッジを有する通信網にハンドオフを行う。
【００３５】
しかし、現在位置する通信網のリンク品質にともなう伝送速度が所定の基準値以下である場合でも隣接する通信網から受信される信号に応じて、測定された有効伝送速度以上であれば現在の通信状態を保持する。
【００３６】
以下、前述した本発明に係る方法を各通信網の領域におけるハンドオフ過程で詳細に、説明するようにする。
図３は、本発明に係る無線ラン領域におけるハンドオフ過程を説明するためのフローチャートであり、前述した１−１）、１−２）および１−３）のケースに該当する。
【００３７】
図３を参照すれば、移動通信端末１００は無線ラン領域に位置（Ｓ１０）しながら無線ランの信号を測定する（Ｓ２０）。そして、測定された無線ラン信号のリンク品質を判断するためのパラメータ、例えばパケットエラー比率（ＰＥＲ、Ｐａｃｋｅｔ  Ｅｒｒｏｒ  Ｒａｔｅ）によって有効伝送速度を算出する（Ｓ３０）。
【００３８】
移動通信端末１００は、前記算出されたリンク品質が予め設定された第１基準値（例えば５００Ｋ）以下であるかを判断する（Ｓ４０）。
この時、前記ステップＳ４０でパケットエラー比率が第１基準値以下でないと判断されれば、パケットエラー比率は第１基準値以上であるため移動通信端末１００は現在の無線ラン通信を維持する。
【００３９】
しかし、前記ステップＳ４０でリンク品質が前記制１基準値以下と判断されれば、移動通信端末１００は携帯インターネット信号を測定する（Ｓ５０）。そして、前記ステップＳ５０で携帯インターネットの信号が測定されるかを判断する（Ｓ６０）。
【００４０】
前記ステップＳ６０で携帯インターネットの信号が測定されないと判断されれば、現在無線ラン信号のリンク品質が前記制１基準値より低く予め設定された第２基準値（例えば、約１０Ｋｂｐｓ）以上であるかを判断する（Ｓ６１）。
【００４１】
ステップＳ６１で現在無線ラン信号のリンク品質が前記制２基準値以上であると判断されれば、現在携帯インターネット信号は検出されずに無線ランを利用したリンク品質が移動通信網を利用したリンク品質より優れていると判断し、移動通信端末１００は現在無線ランを利用した通信を維持する（Ｓ６２）。
【００４２】
しかし、ステップＳ６１で現在無線ラン信号のリンク品質が第２基準値以上でないと判断されれば、移動通信網モデム１１０を起動して（Ｓ６３）、移動通信網にハンドオフを行う（Ｓ６４）。この時、移動通信端末１００は同期移動通信網あるいは非同期移動通信網にハンドオフを行うことができるが、信号の強さに応じて非同期移動通信網を優先にしてモードを切り替えてハンドオフを行う。
【００４３】
一方、前記ステップＳ６０で携帯インターネットの信号が測定されたと判断されれば、移動通信端末は携帯インターネット信号のリンク品質を算出する（Ｓ７０）。そして、算出された携帯インターネット信号のリンク品質が予め設定された第２基準値以上であるかを判断する（Ｓ８０）。
【００４４】
前記ステップＳ８０で携帯インターネット信号のリンク品質が第２基準値以上であると判断されれば、移動通信端末１００は携帯インターネットモデム１２１の起動（Ｓ９０）と、携帯インターネットにハンドオフするためにモードを切り替えてハンドオフを行う（Ｓ１００）。
【００４５】
しかし、前記ステップＳ８０で携帯インターネット信号のリンク品質が第２基準値以上でないと判断されれば、移動通信端末１００は無線ランのリンク品質が第２基準値以上であるかを判断する（Ｓ６１）。ステップＳ６１で無線ランのリンク品質が第２基準値以上であると判断されれば現在無線ラン通信を維持する（Ｓ６２）。
【００４６】
しかし、ステップＳ６１で無線ランのリンク品質が第２基準値以上でないと判断されれば、移動通信端末１００は移動通信網モデム１１０を起動（Ｓ６３）し、移動通信網にモードを切り替えてハンドオフを行う（Ｓ６４）。この時、移動通信端末１００は同期移動通信網あるいは非同期移動通信網にハンドオフを行うことができるが、信号の強さに応じて非同期移動通信網を優先にしてハンドオフするためにモードを切り替えてハンドオフを行う。
【００４７】
図４は、本発明に係る携帯インターネット領域におけるハンドオフ過程を説明するためのフローチャートであり、前述した２−１）、２−２）および２−３）のケースに該当する。
【００４８】
図４を参照すれば、移動通信端末１００は携帯インターネット領域に位置（Ｓ１１０）しながら無線ランの信号を測定する（Ｓ１２０）。そして、無線ランの信号が測定されるかを判断する（Ｓ１３０）。
【００４９】
前記ステップＳ１３０で無線ランの信号が測定されたと判断されれば、測定された無線ラン信号のリンク品質を判断するためのパラメータ、例えばパケットエラー比率（ＰＥＲ、Ｐａｃｋｅｔ  Ｅｒｒｏｒ  Ｒａｔｅ）によって有効伝送速度を算出する（Ｓ１４０）。
【００５０】
移動通信端末１００は、前記算出されたリンク品質が予め設定された第１基準値（例えば５００Ｋ）以上であるかを判断する（Ｓ１５０）。この時、前記ステップＳ１５０でリンク品質が第１基準値以上であると判断されれば、移動通信端末１００は無線ランモデムを起動（Ｓ１６０）し、無線ラン通信にモードを切り替えてハンドオフを行う（Ｓ１７０）。
【００５１】
一方、前記ステップＳ１５０でリンク品質が前記制１基準値以上でないと判断されるか、あるいはステップＳ１３０で無線ランの信号が検出されないと判断されれば、移動通信端末１００は携帯インターネット信号を測定する（Ｓ１３１）。そして、携帯インターネット信号のリンク品質を算出する（Ｓ１３２）。そして、算出された携帯インターネットのリンク品質が前記第１基準値以下であり、前記第１基準値より低く設定された第２基準値以上であるかを判断する（Ｓ１３３）。
【００５２】
ステップＳ１３３で携帯インターネット信号のリンク品質が前記制１基準値以下で第２基準値以上であると判断されれば、移動通信端末１００は現在通信中の携帯インターネット通信を維持する。
【００５３】
一方、ステップＳ１３３で携帯インターネット信号のリンク品質が前記制１基準値と第２基準値の範囲を外れると判断されれば、無線ランのリンク品質が第２基準値以上であるかを判断する（Ｓ１３４）。
【００５４】
ステップＳ１３４で無線ランのリンク品質が第２基準値以上であると判断されれば、無線ランモデム１３１を起動（Ｓ１６０）し、無線ランにハンドオフを行う（Ｓ１７０）。
しかし、ステップＳ１３４で無線ランのリンク品質が第２基準値以上でないと判断されれば、移動通信網を利用したリンク品質が優れていると判断し、移動通信網モデム１１０を起動して（Ｓ１３５）、移動通信網にモードを切り替えた後にハンドオフを行う（Ｓ１３６）。この時、移動通信端末１００は同期移動通信網あるいは非同期移動通信網にハンドオフを行うことができるが、信号の強さに応じて非同期移動通信網を優先にしてモードを切り替えてハンドオフを行う。
【００５５】
図５は、本発明に係る移動通信網領域におけるハンドオフ過程を説明するためのフローチャートであり、前述した３−１）、３−２）および３−３）のケースに該当する。
図５を参照すれば、移動通信端末１００は移動通信網の領域に位置しながら (Ｓ２１０) 無線ランの信号を測定する（Ｓ２２０）。そして、前記ステップＳ２２０で測定された無線ランの信号のリンク品質を判断するためのパラメータ、例えば、パケットエラー比率（ＰＥＲ、Ｐａｃｋｅｔ  Ｅｒｒｏｒ  Ｒａｔｅ）によって有効伝送速度を算出する（Ｓ２３０）。
【００５６】
移動通信端末１００は、前記ステップＳ２３０で算出されたリンク品質が予め設定された第１基準値（例えば、５００Ｋ）以上であるかを判断する（Ｓ２４０）。この時、前記ステップＳ２４０でリンク品質が第１基準値以上であると判断されれば、移動通信端末１００は無線ランモデムを起動（Ｓ２６２）と無線ラン通信にモードを切り替えてハンドオフを行う（Ｓ２６３）。
【００５７】
一方、前記ステップＳ２４０で無線ランのリンク品質が第１基準値以上でないと判断されれば、移動通信端末１００は携帯インターネットの信号を検出する（Ｓ２５０）。そして、携帯インターネットの信号が検出されるかを判断する（Ｓ２６０）。
【００５８】
前記ステップＳ２６０で携帯インターネットの信号が検出されると判断されれば、移動通信端末１００は携帯インターネットのリンク品質を算出する（Ｓ２７０）。そして、算出されたリンク品質が前記第１基準値より低く予め設定された第２基準値以上であるかを判断する（Ｓ２８０）。
【００５９】
ステップＳ２８０で携帯インターネットのリンク品質が第２基準値以上であると判断されれば、移動通信端末１００は携帯インターネットモデム１２１を起動（Ｓ２９０）し、携帯インターネットにモードを切り替えてハンドオフを行う（Ｓ３００）。
【００６０】
しかし、ステップＳ２８０で携帯インターネットのリンク品質が第２基準値以上でないと判断されるか、または、ステップＳ２６０で携帯インターネットの信号が検出されないと判断されれば、移動通信端末１００は無線ランのリンク品質が第２基準値以上であるかを判断する（Ｓ２６１）。
【００６１】
前記ステップＳ２６１で無線ランのリンク品質が第２基準値以上でないと判断されれば、移動通信端末１００は現在通信中の移動通信網通信を維持する（Ｓ２６４）。
しかし、ステップＳ２６１で無線ランのリンク品質が前記制２基準値以上であると判断されれば、無線ランモデム１３１を起動し（Ｓ２６２）、無線ランにモードを切り替えてハンドオフを行う（Ｓ２６３）。
【００６２】
以上にて説明した本発明は、本発明が属する技術分野における当業者は、本発明がその技術的思想や必須特徴を変更せずに他の具体的な形態にて実施することができるということを理解できる。したがって、以上にて記述した実施例はすべての面で例示的なものであり、限定的ではないものと理解しなければならない。本発明の範囲は、前記詳細な説明よりも後述する特許請求の範囲によって示され、特許請求の範囲の意味および範囲、そして、その等価の概念から導き出されるすべての変更または変形された形態が本発明の範囲に含まれると解釈されなければならない。
【産業上利用の可能性】
【００６３】
以上にて詳細に説明した通り、本発明に係るマルチアクセス通信網におけるマルチモード−マルチバンド移動通信端末のモード切り替え方法によれば、多様な方式の移動通信網だけでなく、無線ランおよび携帯インターネットを含む互いに異なる通信網におけるユーザ移動通信端末に効果的で円滑なハンドオフを提供できる効果がある。
【図面の簡単な説明】
【００６４】
【図１】本発明に係る多重アクセス通信網の領域例を説明するための説明図である。
【図２】本発明に係るマルチバンド−マルチモード移動通信端末の構成を説明するためのブロック図である。
【図３】本発明に係る無線ラン領域におけるハンドオフ過程を説明するためのフローチャートである。
【図４】本発明に係る携帯インターネット領域におけるハンドオフ過程を説明するためのフローチャートである。
【図５】本発明に係る移動通信網領域におけるハンドオフ過程を説明するためのフローチャートである。
【図１】
2007519362.tif 000003
【図２】
2007519362.tif 000004
【図３】
2007519362.tif 000005
【図４】
2007519362.tif 000006
【図５】
2007519362.tif 000007
【国際調査報告】
2007519362.tif 000008
2007519362.tif 000009